(57)【要約】【課題】発光効果に優れた発光アセンブリ及びこれを備えた移動通信装置を提供すること。【解決手段】本考案に係る移動通信装置は、収容凹溝が形成された本体と、前記本体の内部に装着された発光アセンブリと、を備える。前記発光アセンブリは、制御回路、導光部材及び少なくとも一つの発光素子を備え、前記制御回路は、前記発光素子に電気的に接続され且つ前記発光素子を発光させる或いは消灯させ、前記導光部材の少なくとも一端は、前記発光素子に対向するように前記収容凹溝内に装着されて、前記導光部材によって前記発光素子が発する光線を伝導することにより、前記本体の表面を発光させる。【選択図】図１
0003181918.tif 000002
【実用新案登録請求の範囲】
【請求項１】
少なくとも一つの発光素子と、制御回路と、導光部材と、を備える発光アセンブリであって、
前記制御回路は、前記発光素子に電気的に接続され且つ前記発光素子を発光させる或いは消灯させ、前記導光部材の少なくとも一端は前記発光素子に対抗して設置され、前記発光素子が発する光線を伝導することにより、前記導光部材自身の表面を発光させることを特徴とする発光アセンブリ。
【請求項２】
前記発光素子は、発光ダイオード或いは電球であり、前記導光部材は、プラスチック光ファイバからなることを特徴とする請求項１に記載の発光アセンブリ。
【請求項３】
押しボタンをさらに備え、ユーザーは前記押しボタンを押圧することにより、前記制御回路に相応な押圧信号を発送して該制御回路を起動し、該制御回路を介して前記発光素子を制御して発光させることを特徴とする請求項１または請求項２に記載の発光アセンブリ。
【請求項４】
収容凹溝が形成された本体と、前記本体の内部に装着される発光アセンブリと、を備える移動通信装置であって、
前記発光アセンブリは、少なくとも一つの発光素子、制御回路及び導光部材を備え、前記制御回路は、前記発光素子に電気的に接続され且つ前記発光素子を発光させ或いは消灯させ、
前記導光部材の少なくとも一端は前記発光素子に対抗するように前記収容凹溝内に装着され、前記導光部材によって前記発光素子が発する光線を伝導することにより、前記本体の表面を発光させることを特徴とする移動通信装置。
【請求項５】
前記押しボタンと前記本体の機能ボタンを一体に統合して形成することを特徴とする請求項４に記載の移動通信装置。
【考案の詳細な説明】
【技術分野】
【０００１】
本考案は、発光アセンブリ及びこれを備えた移動通信装置に関するものである。
【背景技術】
【０００２】
現在、消費者の要求を満たすため、携帯電話機及び携帯情報端末（ＰＤＡ）等の移動通信装置のメーカーは、通常、移動通信装置のハウジングの表面に夜でも発光できる蛍光層を塗布したり、又は移動通信装置の内部に発光ダイオードを設けているため、移動通信装置は夜間でも使用可能である。しかし、従来の蛍光層或いは発光ダイオードを備えた移動通信装置の殆んどが、その発する光線は均一ではなく且つ輝度が低いため発光効果が低い。
【考案の概要】
【考案が解決しようとする課題】
【０００３】
そこで、本考案は上記の問題点を考慮した上で、発光効果に優れた発光アセンブリ及びこれを備えた移動通信装置を提供することを目的とする。
【課題を解決するための手段】
【０００４】
上記の目的を達成するために、本考案に係る発光アセンブリは、少なくとも一つの発光素子と、制御回路及び導光部材と、を備える。前記制御回路は、前記発光素子に電気的に接続され且つ前記発光素子を発光させる或いは消灯させ、前記導光部材の少なくとも一端を前記発光素子に対向して設置し、前記発光素子が発する光線を伝導することにより、前記導光部材自身の表面を発光させる。
【０００５】
また、上記の目的を達成するために、本考案に係る移動通信装置は、収容凹溝が形成された本体と、前記本体の内部に装着された発光アセンブリと、を備える。前記発光アセンブリは、少なくとも一つの発光素子、制御回路及び導光部材を備え、前記制御回路は、前記発光素子に電気的に接続され且つ前記発光素子を発光させる或いは消灯させ、前記導光部材の少なくとも一端を、前記発光素子に向かい合うように前記収容凹溝内に装着し、前記導光部材によって前記発光素子が発する光線を伝導することにより、前記本体の表面を発光させる。
【考案の効果】
【０００６】
従来の技術とは異なり、本考案の発光アセンブリ及びこれを備えた移動通信装置は、導光部材を設け、該導光部材の導光作用を利用して、発光素子が発する光線を伝導させる。これにより、発光素子が発する光線は均一になり優れた発光効果を実現することができる。また、導光部材はプラスチック光ファイバからなるため、導光部材を多種の形状及び模様に湾曲させて、移動通信装置に対して、必要に応じた装飾効果をもたせることができる。
【図面の簡単な説明】
【０００７】
【図１】本考案の実施形態に係る移動通信装置の分解図である。
【図２】図１に示した移動通信装置の組立図である。
【考案を実施するための形態】
【０００８】
図１に示すように、本考案の実施形態に係る移動通信装置１００は、本体１０及び該本体１０に装着された発光アセンブリ２０を備える。
【０００９】
本体１０は、第一表面１０２、該第一表面１０２に対向して設置された第二表面１０４及び第一表面１０２と第二表面１０４とに連接された四つの側面１０６、１０８、１１０及び１１２を備える。側面１０６及び側面１１０は互いに対向して設置され、側面１０８及び側面１１２は互いに対向して設置される。また、本体１０には収容凹溝１１４がさらに設けられており、該収容凹溝１１４の一端は、側面１０６から、側面１０８、１１０及び１１２まで延在して設けられる。
【００１０】
発光アセンブリ２０は、導光部材２１、発光素子２３、制御回路２５及び押しボタン２７を備える。導光部材２１はプラスチック光ファイバであり、収容凹溝１１４の形状及び構造に基づいて任意に湾曲することが可能であり且つ収容凹溝１１４内に収納される。本実施形態において、発光素子２３は発光ダイオード或いは電球であり、本体１０の内部に設けられる。この際、発光素子２３は導光部材２１の一端と対向する。
【００１１】
制御回路２５は本体１０内に設けられ且つ発光素子２３と互いに接続されて、該発光素子２３の発光及び消灯をントロールする。
【００１２】
押しボタン２７は本体１０の電源ボタン、音量ボタン等の機能ボタンと一体に統合されることが可能である。ユーザーは押しボタン２７を押圧すると、対応する押圧信号が制御回路２５に伝送されて該制御回路２５が起動した後、発光素子２３はこの制御回路２５により制御されて発光する。
【００１３】
図２を併せて参照すると、移動通信装置１００を使用する際、ユーザーは、先ず押しボタン２７を押圧して、押圧信号を生成する。次いで、該押圧信号は制御回路２５に伝送されて、該制御回路２５を起動した後、この制御回路２５によって、発光素子２３を制御して発光させる。次いで、導光部材２１は、発光素子２３が発する光線を伝導する。これにより、導光部材２１の表面は発光し、本体１０の側面は発光効果を実現する。
【００１４】
また、発光素子２３の数は、上記の実施形態に限定されるものではなく、実際の必要に応じて発光素子２３の数を二つ或いはそれ以上の数に設定することができる。
【００１５】
また、異なる色の発光ダイオードによって発光素子２３を構成することで、異なる色の発光ダイオードを連続して発光させることができる。
【００１６】
上記の実施形態によれば、本考案は、移動通信装置１００の発光アセンブリ２０に導光部材２１を設け、該導光部材２１の導光作用を利用して、発光素子２３が発する光線を伝導させる。これにより、発光素子２３が発する光線は均一になり優れた発光効果を実現することができる。また、導光部材２１はプラスチック光ファイバからなるため、導光部材２１を多種の形状及び模様に湾曲させて、移動通信装置１００に対して必要に応じた装飾効果を持たせることができる。
【００１７】
以上、本考案の実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、いうまでもない。
【符号の説明】
【００１８】
１０          本体
２０          発光アセンブリ
２１          導光部材
２３          発光素子
２５          制御回路
２７          押しボタン
１００        移動通信装置
１０２        第一表面
１０４        第二表面
１０６、１０８、１１０、１１２      側面
１１４        収容凹溝
【図１】
0003181918.tif 000003
【図２】
0003181918.tif 000004